(57)【要約】      （修正有）【課題】携帯時における利便性が高い携帯型の釣台を提供する。【解決手段】釣台は、座台となる主パネル１０と、主パネル１０に対して平行及び垂直に着脱可能な着脱パネル３０と、複数の脚部材９０Ａ〜９０Ｄと、主パネル１０に対して着脱可能なローラ７０Ｂを備えている。主パネル１０の前縁部にハンドル２４を設け、着脱パネル３０の裏面に複数の脚部材９０Ａ〜９０Ｄの収納部を設ける。そして、未使用時・収納時は脚部材やローラを取り外してコンパクトに収納し（収納形態１００Ａ）、移動時は着脱パネル３０を主パネル１０の後縁部１２Ｂ側に垂直に取り付け、かつ、ローラを設けることでキャリーとして使用でき（キャリー形態１００Ｂ）、ローラを脚部材と交換すれば釣台として使用できる（釣台形態１００Ｃ）。【選択図】図１
0003201532.tif 000002
【実用新案登録請求の範囲】
【請求項１】
釣台としての使用時に座台となる主パネルと、
該主パネルに対して平行及び垂直に着脱可能な着脱パネルと、
該着脱パネル及び前記主パネルに対して着脱可能な複数の脚部材と、
前記主パネルの角部に設けられており、前記複数の脚部材が着脱可能に取り付けられる複数の第１の受部と、
前記着脱パネルの裏面に設けられており、前記複数の脚部材を着脱可能に収納する収納部と、
前記複数の第１の受部に対して着脱可能な複数のローラと、
前記主パネルの一端縁側に設けられたハンドルと、
を備えたことを特徴とする携帯用の釣台。
【請求項２】
前記第１の受部が、前記主パネルの主面に直交する方向に形成された貫通孔であることを特徴とする請求項１記載の携帯用の釣台。
【請求項３】
前記着脱パネルが、該着脱パネルの一対の縁部を延長した２本の延長部を有しており、
前記主パネルの縁部には、前記延長部を直接又は間接的に接続する第２の受部が設けられていることを特徴とする請求項１又は２記載の携帯用の釣台。
【請求項４】
前記第２の受部が、前記主パネルの主面に直交する方向に形成された貫通孔であることを特徴とする請求項３記載の携帯用の釣台。
【請求項５】
前記着脱パネルの延長部を受ける中空の受部材と、
該受部材に対して略直交し、かつ、前記第１又は第２の受部に挿通可能な挿通部と、
からなる取付具を介して、
前記着脱パネルが、前記主パネルに対して平行に取り付けられることを特徴とする請求項３又は４記載の携帯用の釣台。
【請求項６】
前記ハンドルが、
前記主パネルの一端縁から引出可能な略Ｕ字状体であり、
該略Ｕ字状体の一対のアームに、前記主パネルの一端縁に係合するストッパを設けたことを特徴とする請求項１〜５のいずれか一項に記載の携帯用の釣台。
【請求項７】
前記脚部材は、前記主パネルに取り付けた状態の長さを調節可能であることを特徴とする請求項１〜６のいずれか一項に記載の携帯用の釣台。
【考案の詳細な説明】
【技術分野】
【０００１】
本考案は、釣台に関し、更に具体的には、携帯用の釣台に関するものである。
【背景技術】
【０００２】
携帯用の釣り台は、同じ場所での長時間の釣りや、平坦な場所で楽な姿勢で釣りをするためのものであり、各種の携帯型の釣り台が提案されている。例えば、下記特許文献１に記載の釣用座台装置は、開くことにより座台を形成することができるケース(1)と、当該ケース(1)に取り付けることができる所要数の脚部材(30)と、上記ケース(1)に設けられている所要数の受け部材(22,22a,25,25a)と、を備えており、上記受け部材(22,22a,25,25a)は、上記ケース(1)に出し入れすることができ、ケース(1)から外側へ突出させることができるように設けられている。
【０００３】
また、下記特許文献２の携帯折り畳み式魚釣台の固定装置では、２個１組の浅型方形箱をヒンジを介して開閉自在に設けて釣台を形成し、この釣台の下面四隅に脚を着脱自在に垂設し、取り外したこの脚を前記浅型方形箱に収納してヒンジを介して浅型方形箱を折り畳み重合してこの折り畳み状態を固定せしめる携帯折り畳み式魚釣台の固定装置において、釣台の一方の浅型方形箱の前壁中心部に係合孔を形成し、他方の浅型方形箱の前記前壁と浅型方形箱を折り畳み重合した際連設される前壁中心部にスライド孔を形成し、一方、コ字型にして、一方の折り返し部を係合板、他方の折り返し部をスライド板にした固定金具を形成し、この係合板の折り返し長さをスライド板の折り返し長より短く設定し、この固定金具のスライド板を一方の浅型方形箱のスライド孔の中にスライド並びに抜け止め状態に設け、係合板を他方の浅型方形箱側の係合孔の中にスライド自在に設けて折り畳んだ浅型方形箱を固定金具を介して固定するように構成したことを特徴としている。
【先行技術文献】
【特許文献】
【０００４】
【特許文献１】特開２０００−３４２１４８号公報
【特許文献２】実公平６−１８４６６号公報
【考案の概要】
【考案が解決しようとする課題】
【０００５】
しかしながら、上述した特許文献１及び特許文献２に記載の技術はいずれも、釣台を折り畳んだ状態がボックス型であって、それ自体が一つの手荷物となる。釣りの際には、釣台のほか、餌や竿，クーラーボックスなども持っていく必要があるため、荷物の数が増えてしまう。従って、いずれの従来技術も、携帯時の利便性という点については課題が残る。
【０００６】
本考案は、以上のような点に着目したもので、釣台として使用できるのみならず、携帯時における利便性も高い携帯型の釣台を提供することを、その目的とする。
【課題を解決するための手段】
【０００７】
本考案は、携帯用の釣台であって、釣台としての使用時に座台となる主パネルと、該主パネルに対して平行及び垂直に着脱可能な着脱パネルと、該着脱パネル及び前記主パネルに対して着脱可能な複数の脚部材と、前記主パネルの角部に設けられており、前記複数の脚部材が着脱可能に取り付けられる複数の第１の受部と、前記着脱パネルの裏面に設けられており、前記複数の脚部材を着脱可能に収納する収納部と、前記複数の第１の受部に対して着脱可能な複数のローラと、前記主パネルの一端縁側に設けられたハンドルと、を備えたことを特徴とする。
【０００８】
主要な形態の一つは、前記第１の受部が、前記主パネルの主面に直交する方向に形成された貫通孔であることを特徴とする。他の形態は、前記着脱パネルが、該着脱パネルの一対の縁部を延長した２本の延長部を有しており、前記主パネルの縁部には、前記延長部を直接又は間接的に接続する第２の受部が設けられていることを特徴とする。更に他の形態は、前記第２の受部が、前記主パネルの主面に直交する方向に形成された貫通孔であることを特徴とする。
【０００９】
更に他の形態は、前記着脱パネルの延長部を受ける中空の受部材と、該受部材に対して略直交し、かつ、前記第１又は第２の受部に挿通可能な挿通部と、からなる取付具を介して、前記着脱パネルが、前記主パネルに対して平行に取り付けられることを特徴とする。更に他の形態は、前記ハンドルが、前記主パネルの一端縁から引出可能な略Ｕ字状体であり、該略Ｕ字状体の一対のアームに、前記主パネルの一端縁に係合するストッパを設けたことを特徴とする。更に他の形態は、前記脚部材は、前記主パネルに取り付けた状態の長さを調節可能であることを特徴とする。本考案の前記及び他の目的，特徴，利点は、以下の詳細な説明及び添付図面から明瞭になろう。
【考案の効果】
【００１０】
本考案によれば、釣台としての使用時に座台となる主パネルと、該主パネルに対して平行及び垂直に着脱可能な着脱パネルと、該着脱パネル及び前記主パネルに対して着脱可能な複数の脚部材と、前記主パネルの角部に設けられており、前記複数の脚部材が着脱可能に取り付けられる複数の第１の受部と、前記着脱パネルの裏面に設けられており、前記複数の脚部材を着脱可能に収納する収納部と、前記複数の第１の受部に対して着脱可能な複数のローラと、前記主パネルの一端縁側に設けられたハンドルと、を備えることとした。そして、未使用時・収納時は脚部材とローラを取り外してコンパクトに収納し、移動時は前記着脱パネルを座台の一端側に垂直に取り付け、かつ、ローラを設けることでキャリーとして使用し、前記ローラを脚部材と交換すれば釣台として使用できる。このため、携帯時のみならず、釣台としての使用時においても利便性が高い。
【図面の簡単な説明】
【００１１】
【図１】本考案の実施例１の釣台の使用形態を示す図であり、(A)は収納形態を示す図，(B)は台車形態を示す図，(C)は釣台形態を示す図である。
【図２】前記実施例１の釣台の収納形態を示す図であり、(A)は分解斜視図，(B)は組立状態を示す外観斜視図である。
【図３】前記実施例１の釣台のキャリー形態を示す図であり、(A)は分解斜視図，(B)は組立状態を示す外観斜視図である。
【図４】前記実施例１の釣台の釣台形態を示す図であり、(A)は分解斜視図，(B)は組立状態を示す外観斜視図である。
【図５】前記実施例１の釣台の他の使用形態を示す図である。
【図６】本考案の他の実施例を示す図である。
【考案を実施するための形態】
【００１２】
以下、本考案を実施するための最良の形態を、実施例に基づいて詳細に説明する。
【実施例１】
【００１３】
最初に、図１〜図５を参照しながら本考案の実施例１を説明する。本考案の釣台は、携帯用のものであって、図１(A)に示す収納形態，図１(B)に示すキャリー形態，図１(C)に示す釣台形態のように、使用状況に応じて形態を変えられるものである。図２は、本実施例１の釣台の収納形態を示す図であり、(A)は分解斜視図，(B)は組立状態を示す外観斜視図である。図３は、本実施例のキャリー形態を示す図であり、(A)は分解斜視図，(B)は組立状態を示す外観斜視図である。図４は、本実施例の釣台形態を示す図であり、(A)は分解斜視図，(B)は組立状態を示す外観斜視図である。図５は、本実施例の釣台の他の使用形態を示す図である。図１〜図４に示すように、本実施例の釣台１００は、釣台形態１００Ｃのとき座台となる主パネル１０と、該主パネル１０に対して着脱可能な着脱パネル３０と、複数の脚部材９０Ａ〜９０Ｄと、該脚部材９０Ａ〜９０Ｄと交換可能なローラ７０Ａ，７０Ｂと、ハンドル２４により構成されている。
【００１４】
まず、図２(A)及び(B)を参照して、釣台１００の収納形態１００Ａについて説明する。前記主パネル１０は、略長方形のメインフレーム１２の一方の面側に、パネル１４を設けた構造となっている。前記メインフレーム１２は、例えば、中空の角材等により形成されている。また、前記メインフレーム１２の前縁部１２Ａの両側には、脚部材９０Ａ，９０Ｂを着脱可能に取り付けるための受部１６Ａ，１６Ｂが設けられている。該受部１６Ａ，１６Ｂは、中空部１８Ａ，１８Ｂを有しており、該中空部１８Ａ，１８Ｂに脚部材９０Ａ，９０Ｂを挿入して、側面に設けたネジ４８を締めてその先端を当接させることで、長さ調節可能に固定する。また、前記メインフレーム１２の前縁部１２Ａには、前記ハンドル２４が設けられるとともに、図４(B)に示すように、釣台形態１００Ｃのときに、釣竿９６をかける竿掛け９４を固定するための桟木２６が設けられている。
【００１５】
前記メインフレーム１２の後縁部１２Ｂの両側には、脚部材９０Ｃ，９０Ｄやローラ７０Ａ，７０Ｂを取付けるための受部１６Ｃ，１６Ｄが設けられている。該受部１６Ｃ，１６Ｄは、中空部１８Ｃ，１８Ｄを有しており、該中空部１８Ｃ，１８Ｄに脚部材９０Ｃ，９０Ｄを挿入して、側面に設けたネジ４８を締めてその先端を当接させることで、長さ調節可能に固定する。また、前記メインフレーム１２の後縁部１２Ｂには、前記受部１６Ｃ，１６Ｄと並んで、受部２０Ａ，２０Ｂが設けられている。該受部２０Ａ，２０Ｂは、前記着脱パネル３０を取付けるための取付具５０Ａ，５０Ｂを接続するためのものであって、中空部２２Ａ，２２Ｂを有している。前記中空部１８Ａ〜１８Ｄ，２２Ａ，２２Ｂは、前記主パネル１０の主面に対して直交する方向に形成された貫通孔である。
【００１６】
次に、着脱パネル３０について説明する。着脱パネル３０は、サブフレーム３２の一方の面側にパネル３４を設けた構造となっており、該パネル３４と反対側の面には、複数の脚部材９０Ａ〜９０Ｄを着脱可能に収納する収納部３６が設けられている。該収納部３６には、収納される脚部材９０Ａ〜９０Ｄと略平行なプレート３８と、前記収納部３６に収納された脚部材９０Ａ〜９０Ｄの上を押えるストッパ４０が設けられている。該ストッパ４０の一端側は、前記サブフレーム３２の縁部にネジ４２により回動可能に取り付けられている。すなわち、前記ネジ４２を緩めてストッパ４０を回せば、脚部材９０Ａ〜９０Ｄを前記収納部３６から取り出し可能となっている。
【００１７】
前記サブフレーム３２は、一対の縁部を延長した２本の延長部３２Ａ，３２Ｂを有している。該延長部３２Ａ，３２Ｂの中間部には、後述する取付具５０Ａ，５０Ｂに接続したときの位置決め用のストッパ４４Ａ，４４Ｂが設けられている。また、該ストッパ４４Ａ，４４Ｂと延長部３２Ａ，３２Ｂの端部の間には、ネジ穴４６Ａ，４６Ｂないし凹みが設けられている。
【００１８】
前記取付具５０Ａ，５０Ｂは、前記着脱パネル３０を、前記主パネル１０に対して平行に取り付けるときに使用するものである。前記取付具５０Ａは、前記サブフレーム３２の延長部３２Ａ（又は３２Ｂ）を受ける中空の受部材５２と、該受部材５２に対して略直交し、かつ、前記受部１６Ａ〜１６Ｄ，２０Ａ，２０Ｂに挿通可能な挿通部５６により構成されている。前記受部材５２は、中空部５４を有しており、側面にネジ６０の軸部が貫通するネジ穴５８が形成されている。前記受部材５２及び挿通部５６としては、例えば、中空の角材等が用いられる。他方の取付具５０Ｂの構造も同様である。
【００１９】
以上のような釣台１００は、使用しないときには、図２(A)に示すように、前記取付具５０Ａ，５０Ｂの挿通部５６を、主パネル１０の受部１８Ｃ，１８Ｄに挿通し、該受部１８Ｃ，１８Ｄの側面に形成されたネジ穴４９に前記ネジ４８を締めて固定する。そして、前記サブフレーム３２の裏側に、４本の脚部材９０Ａ〜９０Ｄを収納してストッパ４０で固定し、前記延長部３２Ａ，３２Ｂを、前記取付具５０Ａ，５０Ｂの受部材５２の中空部５４に挿通する。このとき、前記延長部３２Ａ，３２Ｂに設けたストッパ４４Ａ，４４Ｂが、前記受部材５２の縁部に係合して位置決めされる。そして、前記ネジ穴５８にネジ６０の軸部を通してネジ６０を締め、着脱パネル３０を取付具５０Ａ，５０Ｂに固定する。これにより、釣台１００は、図１(A)及び図２(B)に示す収納形態１００Ａをとり、前記着脱パネル３０が、前記主パネル１０の主面に沿って（すなわち、主パネル１０と平行に）取り付けられる。前記収納形態１００Ａでは、使用しない脚部材９０Ａ〜９０Ｄを収納できるのみならず、主パネル１０と着脱パネル３０を合わせて固定できるため、場所をとらず、コンパクトに収納できる。
【００２０】
次に、図３(A)及び(B)を参照して、本実施例の釣台１００のキャリー形態１００Ｂについて説明する。本実施例の釣台１００を使用するときには、使用場所まで運ばなければならないが、本考案の釣台１００は、前記収納形態１００Ａから、図３に示すキャリー形態１００Ｂにすることで、図１(B)に示すように、他の荷物６４の運搬も可能なキャリーとして使用できる。まず、図２(B)に示す収納形態１００Ａにおいて、前記着脱パネル３０及び取付具５０Ａ，５０Ｂを主パネル１０から外す。そして、前記着脱パネル３０が、前記主パネル１０に対して垂直になるように、主パネル１０の後縁部１２Ｂ側に配置し、前記サブフレーム３２の延長部３２Ａ，３２Ｂを、前記主パネル２０の受部２０Ａ，２０Ｂの中空部２２Ａ，２２Ｂに挿入する。このとき、前記ストッパ４４Ａ，４４Ｂにより位置決めされることは、前記収納形態１００Ａの場合と同様である。そして、前記後縁部１２Ｂ側から、ネジ４８を図示しないネジ穴に通し、該ネジ４８を締めて軸部先端を前記延長部３２Ａ，３２Ｂに当接させることで、着脱パネル３０を主パネル１０に対して垂直に固定する。
【００２１】
また、前記主パネル１０の後縁部１２Ｂ側の他の受部１６Ｃ，１６Ｄを利用して、図３(A)に示すローラ７０Ａ，７０Ｂを取り付ける。前記ローラ７０Ａは、図３(A)に示す取付部材７６を介して前記受部１６Ｃに取り付けられる。図示の例では、前記取付部材７６は、略く字状であって、前記受部１６Ｃに取り付けられる側の挿通部７６Ａと、前記ローラ７０Ａが取り付けられる傾斜部７６Ｂを有する。前記挿通部７６Ａの適宜位置には、前記受部１６Ｃの裏面縁部に当接して位置決めするためのストッパ７８が設けられている。また、前記傾斜部７６Ｂの側面には、前記ローラ７０Ａの中空の軸部７２に挿通可能な軸部８０が設けられている。図示の例では、前記軸部８０は、中空の円筒状であって、ピン８４を挿通可能な穴８２を有している。前記軸部８０を、前記ローラ７０Ａの軸部７２に挿通し、前記穴８２にピン８４を通して、ローラ７０Ａと取付部材７６を接続する。前記ローラ７０Ａは、図示しないベアリング等により、前記取付部材７６の軸部８０に対して回転可能となっている。他方のローラ７０Ｂについても、同様の構成の取付部材７６により、前記主パネル１０の受部１６Ｄに取り付けられる。
【００２２】
このように主パネル１０の後縁部１２Ｂ側に２つのローラ７０Ａ，７０Ｂを設けた状態で、前記主パネル１０の前縁部１２Ａ側を上方に向けて釣台１００を立てると、前記着脱パネル３０上に荷物６４等を置いて運べるキャリー形態１００Ｂとなる。このため、釣台１００自体の運搬が楽になるだけでなく、餌や竿，クーラーボックスなどの他の荷物がある場合でも移動が楽になり、非常に利便性が高い。
【００２３】
次に、図４(A)及び(B)を参照して、本実施例の釣台１００の釣台形態１００Ｃについて説明する。上述したキャリー形態１００Ｂによって釣台１００自体を使用する場所まで運んだら、前記ローラ７０Ａ，７０Ｂを取り外し、図４(A)に示すように、前記着脱パネル３０の裏面に収納しておいた脚部材９０Ａ〜９０Ｄを取り出して、前記主パネル１０の裏面に取り付ける。図示の例では、脚部材９０Ａを受部１６Ａ，脚部材９０Ｂを受部１６Ｂ，脚部材９０Ｃを受部１６Ｃ，脚部材９０Ｄを受部１６Ｄに取り付けている。これら脚部材９０Ａ〜９０Ｄを、前記受部１６Ａ〜１６Ｄの中空部１８Ａ〜１８Ｄに挿通し、外側からネジ４８をネジ穴４９に螺合し、その先端を前記脚部材９０Ａ〜９０Ｄの側面に適宜間隔で複数設けられた凹部９２に当接することで、所望の長さで脚部材９０Ａ〜９０Ｄを取り付け固定することができる。
【００２４】
そして、図４(B)に示すように、前記桟木２６に竿掛け９４を取り付け、該竿掛け９４に釣竿９６を掛ける。釣り人９８は、前記主パネル１０を座台として跨いで座る。前記主パネル１０の上には、必要に応じて餌等を置くようにしてもよい。また、図５に示すように、前記着脱パネル３０を、主パネル１０の後縁部１２Ｂから後方に延長するように取り付けてもよい。この場合、前記取付具５０Ａ，５０Ｂを用い、その挿通部５６を主パネル１０の受部２０Ａ，２０Ｂの中空部２２Ａ，２２Ｂに挿通し、前記ネジ４８を締めて取付具５０Ａ，５０Ｂを固定する。そして、前記着脱パネル３０の延長部３２Ａ，３２Ｂを、主パネル１０の後縁部１２Ｂ側から前縁部１２Ａ側へ向けて挿通し、前記ネジ６０を締めて着脱パネル３０を固定する。このように、前記取付具５０Ａ，５０Ｂを利用することで、前記着脱パネル３０を、前記主パネル１０に対して平行に取り付け、前記着脱パネル３０の部分に荷物６４等を置くようにしてもよい。
【００２５】
このように、実施例１によれば、釣台としての使用時に座台となる主パネル１０と、該主パネル１０に対して平行及び垂直に着脱可能な着脱パネル３０と、該着脱パネル３０及び前記主パネル１０に対して着脱可能な複数の脚部材９０Ａ〜９０Ｄと、前記主パネル１０に対して着脱可能なローラ７０Ａ，７０Ｂを備えるとともに、前記主パネル１０の前縁部１２Ａにハンドル２４を設け、前記着脱パネル３０の裏面に前記複数の脚部材を着脱可能に収納する収納部３６を設けることとした。そして、未使用時・収納時は脚部材とローラを取り外してコンパクトに収納し、移動時は前記着脱パネルを座台の一端側に直角に取り付け、かつ、ローラを設けることでキャリーとして使用し、前記ローラを脚部材と交換して釣台として使用する。このため、携帯時の利便性が高いという効果がある。また、前記釣台形態１００Ｃにおいて、前記着脱パネル３０を、前記主パネル１０に平行に、前記主パネル１０の後縁部１２Ｂから後方に延長するように接続することで、釣台１００を広く使用することができる。
【００２６】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。材質についても同様に、公知の各種の材質を用いてよい。
(2)前記実施例で示したハンドル２４も一例であり、同様の効果を奏する範囲内で適宜設計変更可能である。例えば、図６(A-1)及び(A-2)に示すハンドル１０２は、全体が略Ｕ字状となっており、一対のアーム１０２Ａ，１０２Ｂが、前記主パネル１０の前縁部１２Ａから引出可能となっている。前記アーム１０２Ａ，１０２Ｂには、図６(A-2)に示すように、抜け止め用のピン１０４が設けられている。むろん、図６(A-1)及び(A-2)に示した例も一例であり、他の形態とすることを妨げるものではない。
【００２７】
(3)前記実施例では、キャリー形態１００Ｂとして、主パネル１０の後縁部１２Ｂ側にのみローラ７０Ａ，７０Ｂを設けることとしたが、これも一例であり、図６(B)に示す形態のように、前縁部１２Ａ側にもローラ７０Ａ´、７０Ｂ´を設けて使用することを妨げるものではない。
(4)前記実施例で示した脚部材９０Ａ〜９０Ｄやローラ７０Ａ，７０Ｂの取り付け手法や、長さ調節方法は一例であり、同様の効果を奏する範囲内で適宜設計変更可能である。
(5)前記実施例１で示した収納部３６による脚部材９０Ａ〜９０Ｄの収納方法は一例であり、同様の効果を奏する範囲内で適宜設計変更可能である。
【産業上の利用可能性】
【００２８】
本考案によれば、座台となる主パネルと、該主パネルに対して平行及び垂直に着脱可能な着脱パネルと、該着脱パネル及び前記主パネルに対して着脱可能な複数の脚部材と、前記主パネルの角部に設けられており、前記複数の脚部材が着脱可能に取り付けられる複数の第１の受部と、前記着脱パネルの裏面に設けられており、前記複数の脚部材を着脱可能に収納する収納部と、前記複数の第１の受部に対して着脱可能な複数のローラと、前記主パネルの一端縁側に設けられたハンドルと、を備えることとした。そして、未使用時・収納時は脚部材とローラを取り外してコンパクトに収納し、移動時は前記着脱パネルを座台の一端側に直角に取り付け、かつ、ローラを設けることでキャリーとして使用し、前記ローラを脚部材と交換して釣台として使用する。このため、携帯用の釣台の用途に適用できる。特に、荷物が多い釣りの際に携帯する釣台として好適である。
【符号の説明】
【００２９】
１０：主パネル
１２：メインフレーム
１２Ａ：前縁部
１２Ｂ：後縁部
１４：パネル
１６Ａ〜１６Ｄ，２０Ａ，２０Ｂ：受部
１８Ａ〜１８Ｄ，２２Ａ，２２Ｂ：中空部
２４：ハンドル
２６：桟木
３０：着脱パネル
３２：サブフレーム
３２Ａ，３２Ｂ：延長部
３４：パネル
３６：収納部
３８：プレート
４０：ストッパ
４２，４８：ネジ
４４Ａ，４４Ｂ：ストッパ
４６Ａ，４６Ｂ，４９：ネジ穴
５０Ａ，５０Ｂ：取付具
５２：受部材
５４：中空部
５６：挿通部
５８：ネジ穴
６０，６２：ネジ
６４：荷物
７０Ａ，７０Ａ´，７０Ｂ，７０Ｂ´：ローラ
７２：軸部
７６：取付部材
７６Ａ：挿通部
７６Ｂ：傾斜部
７８：ストッパ
８０：軸部
８２：穴
８４：ピン
９０Ａ〜９０Ｄ：脚部材
９２：凹部
９４：竿掛け
９６：釣竿
９８：釣り人
１００：釣台
１００Ａ：収納形態
１００Ｂ：キャリー形態
１００Ｃ：釣台形態
１０２：ハンドル
１０２Ａ，１０２Ｂ：アーム
１０４：ピン
【図１】
0003201532.tif 000003
【図２】
0003201532.tif 000004
【図３】
0003201532.tif 000005
【図４】
0003201532.tif 000006
【図５】
0003201532.tif 000007
【図６】
0003201532.tif 000008